(57)【特許請求の範囲】
【請求項１】
ＩＴＵ−Ｔ勧告Ｖ．３４通信モードの通信機能を有する通信端末装置において、着呼時にＡＮＳａｍ信号を送出することなく、Ｖ．８機能有りのＤＩＳ信号を送出するように制御する制御手段を備えたことを特徴とする通信端末装置。
【請求項２】
着呼時に相手先の番号を検出する検出手段をさらに備え、上記検出された相手先の番号が予め登録された宛先であるとき、上記制御手段の処理が実行されることを特徴とする請求項１記載の通信端末装置。
【発明の詳細な説明】
【０００１】
【発明の属する技術分野】
本発明は、ＩＴＵ−Ｔ勧告Ｖ．３４通信モードの通信機能を有するファクシミリ装置などの通信端末装置に関する。
【０００２】
【従来の技術】
公衆電話回線を介してファクシミリ画像信号を伝送するためのファックスモデムとして、従来の１４．４ｋｂｓの最大データ速度を有するＩＴＵ−Ｔ勧告Ｖ．１７通信モードのファックスモデムよりも高速で、３３．６ｋｂｓの最大データ速度を有する、いわゆる「スーパーＧ３」と呼ばれるＩＴＵ−Ｔ勧告Ｖ．３４通信モードのファックスモデムが実用化されている。
【０００３】
一方、昨今、インターネット・プロトコルの通信手順を用いた、いわゆるＩＰ網を用いて、インターネットなどのデータ通信のみならず、電話通信やファクシミリ通信が行われるようになってきた。このＩＰ網を用いてファクシミリ通信を行うとき、例えば、送信側端末のファクシミリ装置が公衆電話網に接続され、受信側端末のファクシミリ装置が公衆電話網に接続されている場合、送信側端末のファクシミリ装置は直近のＩＰ網のゲートとなる第１のゲートウェイ装置を介してＩＰ網にアクセスした後、受信側端末のファクシミリ装置の直近となる第２のゲートウェイ装置を介して受信側端末のファクシミリ装置に接続する。すなわち、送信側端末のファクシミリ装置と第１のゲートウェイ装置との間、並びに、第２のゲートウェイ装置と受信側端末のファクシミリ装置との間は回線交換方式で通信が行われる一方、第１と第２のゲートウェイ装置の間はパケット交換方式で通信が行われる。
【０００４】
【発明が解決しようとする課題】
Ｖ．３４モードの通信では、全二重通信のために、ゲートウェイ装置などの交換機は、Ｖ．３４モードの通信で使用されるＡＮＳａｍ信号を検出したとき、エコーキャンセラーをオフする場合がある。エコーキャンセラーがオフ状態のままでＶ．１７モード以下の交信が行われる場合において、受信側端末の高低速識別のところで、自機が送出したＦＳＫ信号（ＣＦＲ）の終結フラグを送信側端末から送られてきたＦＳＫ信号と誤認識して低速待ち受けになり、本来の高速信号が来ても受信しないために、ＦＳＫ信号待ち受けのタイムアウトが発生し、交信エラーとなる場合があるという問題点があった。
【０００５】
本発明の目的は以上の問題点を解決し、ＩＰ網を介してＶ．３４モードの通信をトラブルなく実行することができるファクシミリ装置などの通信端末装置を提供することにある。
【０００６】
【課題を解決するための手段】
本発明に係る通信端末装置は、ＩＴＵ−Ｔ勧告Ｖ．３４通信モードの通信機能を有する通信端末装置において、着呼時にＡＮＳａｍ信号を送出することなく、Ｖ．８機能有りのＤＩＳ信号を送出するように制御する制御手段を備えたことを特徴とする。
【０００７】
別の発明に係る通信端末装置は、ＩＴＵ−Ｔ勧告Ｖ．３４通信モードの通信機能を有する通信端末装置において、着呼時にＴＣＦ信号を検出したときに、上記検出したＴＣＦ信号に対する所定の応答信号の送出を所定の時間だけ遅延させるように制御する制御手段を備えたことを特徴とする。ここで、上記制御手段は、着呼時にＡＮＳａｍ信号を送出した後、ＴＣＦ信号を検出したとき、上記検出したＴＣＦ信号に対する所定の応答信号の送出を所定の時間だけ遅延させるように制御してもよい。
【０００８】
上記通信端末装置において、好ましくは、着呼時に相手先の番号を検出する検出手段をさらに備え、上記検出された相手先の番号が予め登録された宛先であるとき、上記制御手段の処理が実行されることを特徴とする。
【０００９】
【発明の実施の形態】
以下、図面を参照して本発明に係る実施形態について説明する。
【００１０】
＜実施形態＞
図１は、本発明に係る実施形態である、ＩＴＵ−Ｔ勧告Ｖ．３４通信モードの通信機能を有するファクシミリ装置２０の構成を示すブロック図である。
【００１１】
この実施形態のファクシミリ装置２０は、ＩＴＵ−Ｔ勧告Ｖ．３４通信モードの通信機能を有するファックスモデム１０を備え、発呼時の主制御部１は、ＲＡＭ７内の送信側ＩＰ網チェックテーブル７ａを参照して相手先のファクシミリ番号をチェックしてＩＰ網経由であるとき（図５のステップＳ３でＹＥＳ）、当該相手先に発呼し（ステップＳ６）、ＡＮＳａｍ信号を検出した後（ステップＳ１６でＹＥＳ）、ＤＩＳ信号を検出したとき（図６のステップＳ２４）、検出したＤＩＳ信号に応答せず、次のＤＩＳ信号を検出し、応答信号であるＤＣＳ信号を送出する（ステップＳ２４−Ｓ２６）ように制御することを特徴とする。
【００１２】
また、主制御部１は、着呼時にＡＮＳａｍ信号を送出することなく（図８のステップＳ３５でＮＯ）、Ｖ．８機能有りのＤＩＳ信号を送出する（ステップＳ３７）ように制御することを特徴としている。また、主制御部１は、着呼時にＴＣＦ信号を検出したときに（図９のステップＳ５１）、上記検出したＴＣＦ信号に対する応答信号であるＣＦＲ信号又はＦＴＴ信号の送出を、例えば６００ミリ秒の所定の時間だけ遅延させる（ステップＳ５５）ように制御する。この場合において、主制御部１は、着呼時にＡＮＳａｍ信号を送出した後（ステップＳ４１）、ＴＣＦ信号を検出したとき（ステップＳ５１）、上記検出したＴＣＦ信号に対する応答信号であるＣＦＲ信号又はＦＴＴ信号の送出を、例えば６００ミリ秒の所定の時間だけ遅延させる（ステップＳ５５）ように制御する場合も可能である。これらの着呼時の処理において、例えば発信電話番号通知サービスにより相手先のファクシミリ番号又は電話番号を検出し、上記検出された相手先の番号が受信側ＩＰ網チェックテーブル７ｂに予め登録された宛先であるときに（ステップＳ３４でＹＥＳ）、上記の着呼の処理を実行する場合もある。
【００１３】
図１において、ファクシミリ装置２０は、従来のＧ３方式等のファクシミリ通信機能を備えるとともに、ＩＴＵ−Ｔ勧告Ｖ．３４通信モードの通信機能を備えている。主制御部１は具体的にはＣＰＵで構成されており、バス１３を介して以下のハードウェア各部と接続されていてそれらを制御するほか、後述する種々のソフトウェアの機能を実行する。画像読取部２は、ＣＣＤ等を利用したスキャナで原稿を読み取り、白黒２値に変換したドットイメージデータを出力する。画像記録部３は電子写真方式等のプリンタ装置であり、他のファクシミリ装置からファクシミリ通信により受信したイメージデータをハードコピーとしてプリントアウトして記録する。表示部４は、液晶表示装置（ＬＣＤ）又はＣＲＴディスプレイ等の表示装置であり、当該ファクシミリ装置２０の動作状態を表示したり、送信すべき原稿のイメージデータ、及び受信したイメージデータの表示を行う。
【００１４】
操作部５は、当該ファクシミリ装置２０を操作するために必要な文字キー、ダイヤル用テンキー、短縮ダイヤルキー、ワンタッチダイヤルキー、及び各種のファンクションキー等を備える。なお、上述の表示部４をタッチパネル方式とすることにより、この操作部５の各種キーの内の一部又は全部を代用するように構成してもよい。
【００１５】
ＲＯＭ６は、当該ファクシミリ装置２０の動作に必要であって主制御部１によって実行される種々のソフトウェアのプログラムを予め格納し、ここで、当該プログラムは、少なくとも図５乃至図９のファクシミリ送信処理及びファクシミリ受信処理のプログラムを含む。ＲＡＭ７は、ＳＲＡＭ又はフラッシュメモリ等で構成され、主制御部１のワーキングエリアとして使用されてプログラムの実行時に発生する一時的なデータを記憶する。なお、ＲＡＭ７としてフラッシュメモリを使用した場合には、停電、装置の移動等のために電源が遮断された場合にもそのデータの内容が失われない。画像メモリ８はＤＲＡＭ等で構成され、送信すべきイメージデータ又は受信したイメージデータを記憶する。なお、ＲＡＭ７及び画像メモリ８をハードディスクメモリで構成してもよい。
【００１６】
ファックスモデム１０は、公衆電話回線Ｌに接続され、通常のファクシミリ通信用のファックスモデムの機能を有するモデムであり、ＦＳＫ信号として受信される発信電話番号情報のデータを復調して主制御部１に出力する。ＮＣＵ（ネットワーク制御回路：Network Control Unit）１１はアナログの公衆電話回線Ｌの直流ループなどの閉結及び開放の動作を行いかつ自動ダイヤル機能を有するハードウェア回路であり、必要に応じてファックスモデム１０を公衆電話回線Ｌに接続する。ここで、ＮＣＵ１１は、発信電話番号通知サービスにおけるＩＤ受信端末起動信号、通常の電話呼出信号の検出を行うとともに、必要に応じて発信電話番号通知サービスにおける１次応答信号及び２次応答信号を発信することができる。なお、ＮＣＵ１１を所定のターミナルアダプタ及びＤＳＵ（加入者線終端装置：Digital Service Unit）を介して、ベースバンド伝送方式のデジタル回線（例えば、ＩＳＤＮ回線）に接続するようにしてもよい。
【００１７】
以上のように構成された本実施形態のファクシミリ装置２０は、通常のＧ３方式等のファクシミリ通信機能に加えて、ＩＴＵ−Ｔ勧告Ｖ．３４通信モードの通信機能を有している。ファクシミリ通信機能において、画像読取部２により読み取られたドットイメージデータはファクシミリ通信の規格で定められているＭＨ，ＭＲ，ＭＭＲ等の符号化方式に従ってソフトウェアにより符号化された後、相手先のファクシミリ装置に送信される一方、逆に相手先のファクシミリ装置から受信した符号化データもソフトウェアによりイメージデータに復号化されて画像記録部３からハードコピーとして出力される。なお、画像メモリ８はイメージデータを必要に応じて記憶し、また逆に記憶しているイメージデータを必要に応じて出力する。
【００１８】
さらに、高速でファクシミリ通信などのデータ通信が可能なＶ．３４モード及びＶ．８モードの通信手順について説明する。ファクシミリ装置などの通信端末装置でデータ通信を行う場合には半二重方式の例えばＩＴＵ−Ｔの勧告Ｖ．１７モードの通信手順等に準拠した変復調装置を使用し、Ｇ３規格のファクシミリ通信手順でもある同勧告Ｔ．３０に規定されている手順に従って行う。また、同勧告Ｖ．３４に準拠した最大伝送速度が３３．６ｋｂｐｓの超高速の通信手順（以下、Ｖ．３４モードの通信手順という。）も実用化されており、このＶ．３４モードの通信手順では通信の開始時点及び通信実行中において、受信側でその時点の回線状況、具体的にはＳ／Ｎ（信号対雑音電力比）、帯域幅に応じて通信速度を指定することが可能であり，送信側ではそのようにして受信側で指定された通信速度で送信を行うように通信速度を変更する。なお、Ｖ．３４モードの通信手順でデータ通信を行う場合には同じく同勧告Ｖ．８通信手順で前手順を行って実際の通信速度を決定する。
【００１９】
次いで、Ｖ．３４モードの通信手順について、その通信開始時の信号の送受信を示す図４のタイミングチャートを参照して説明する。ただし、Ｖ．３４モードの通信手順の実行に際しては前述のようにＶ．８通信手順により最初に通信速度が決定されるが、この手順はフェーズ１からフェーズ４までの４段階に分かれている。
【００２０】
フェーズ１のネットワークインターラクションにおいて送受信両装置間で相互の能力の確認が行われる。発呼を行う送信側装置は発呼トーンのＣＮＧ信号又は機能表示信号であるＣＩ信号を送出する。これに応答して、受信側装置は送信側装置に対してＶ．８モードの通信手順の機能を有していることを示す変形応答トーンであるＡＮＳａｍ信号を返送する。このＡＮＳａｍ信号に応答して、送信側装置は自身のモデムの能力を示す起呼メニュー信号であるＣＭ信号を送出する。このＣＭ信号を受信すると、受信側装置は送受信双方の装置のモデムの能力から最高の能力を選択し、それを示す共通メニュー信号であるＪＭ信号を送出する。なお、このＪＭ信号に対する応答として送信側装置はＣＭ終端信号であるＣＪ信号を送出する。以上で、フェーズ１が終了する。
【００２１】
この後、フェーズ２のラインプロービング処理においてラインプロービングが行われる。送受信両装置間においてＩＮＦＯ信号によりモデム能力、ラインプロービング処理の結果、データモード変調パラメータ等の情報が交換され、トーンＡ、Ｂの送受信が行われた後、ラインプロービング処理が実行される。これは送信側装置からプロービング信号（Ｌ１，Ｌ２）を送出することにより受信側装置で回線の状態を検出するためであり、これにより受信側装置ではその時点の回線のＳ／Ｎ及び帯域幅が判明するので、受信側装置から再度ＩＮＦＯ信号によりモデム能力、回線プロービング結果、データモード変調パラメータ等を送出する。
【００２２】
次に、フェーズ３の等化器トレーニング処理において、送信側装置からトレーニング信号であるＴＲＮ信号が送出される。このＴＲＮ信号を受信することにより受信側装置において通信速度を決定する。そして、フェーズ４の最終トレーニングにおいて両者間で速度変更要求信号であるＰＰｈ信号が送受信され、最終的に速度指定信号であるＭＰｈ信号が送受信されて通信速度が決定される。この後、ＩＴＵ−Ｔ勧告のＴ．３０に準拠したファクシミリ通信が行われる。
【００２３】
本実施形態で用いるファックスモデム１０は、Ｖ．３４モードの通信手順が可能なモデムであり、通信実行中に通信速度の変更が可能であると共に、通信相手から受信した信号からその時点の通信回線の状況、具体的にはＳ／Ｎ、帯域幅のデータをステータスとして外部からモニタ可能である。すなわち、送信側装置との間で、ラインプロービング処理が行われるが、この処理の結果、その時点の回線のＳ／Ｎ及び帯域幅がファックスモデム１０からステータスとして出力され、主制御部１はそれを読み出してそれに基づいた処理を行う。
【００２４】
図２は、図１のＲＡＭ７内の送信側ＩＰ網チェックテーブル７ａの一例を示すフローチャートである。図２に示す送信側ＩＰ網チェックテーブル７ａでは、発呼のための相手先のファクシミリ番号毎に、ＩＰ網を経由して送信するか否かを示しており、これらのデータは操作部５を用いて予め入力され、後述する図５のステップＳ２の処理で参照される。
【００２５】
図３は、図１のＲＡＭ７内の受信側ＩＰ網チェックテーブル７ｂの一例を示すフローチャートである。図３に示す受信側ＩＰ網チェックテーブル７ｂでは、着呼時の相手先のファクシミリ番号毎に、ＩＰ網を経由して受信しているか否かを示しており、これらのデータは操作部５を用いて予め入力され、後述する図８のステップＳ３３の処理で参照される。
【００２６】
図５及び図６は、図１のファクシミリ装置２０の主制御部１によって実行されるファクシミリ送信処理を示すフローチャートである。
【００２７】
図５のステップＳ１において、発呼後ＤＩＳ信号を検出したか否かを示すフラグＤＩＳＦを０にリセットし、ステップＳ２において送信側ＩＰ網チェックテーブル７ａを参照して宛先のファクシミリ番号をチェックし、ステップＳ３においてＩＰ網経由か否かが判断され、ＹＥＳのときはステップＳ５に進む一方、ＮＯのときはステップＳ４に進み、ステップＳ４では、通常のＧ３のファクシミリ送信処理を実行した後、当該ファクシミリ送信処理を終了する。一方、ステップＳ５においてフラグＤＩＳＦを１にセットする。
【００２８】
次いで、ステップＳ６において相手先のファクシミリ番号をダイヤルして発呼する。そして、ステップＳ７において相手先のファクシミリ装置はオフフックしたか否かが判断され、ＹＥＳのときはステップＳ１２に進む一方、ＮＯのときはステップＳ８に進む。ステップＳ８においてＴ１タイマーはタイムオーバーか否かが判断され、ＹＥＳのときはステップＳ１０に進む一方、ＮＯのときはステップＳ９に進む。ステップＳ９においてＣＮＧ信号を送出した後、ステップＳ７に戻る。一方、ステップＳ１０においてリダイヤル回数は６回か否かが判断され、ＹＥＳのときは当該ファクシミリ送信処理を終了するが、ＮＯのときはステップＳ１１で３分間待機した後、ステップＳ６に戻り再発呼する。
【００２９】
次いで、ステップＳ１２においてＣＥＤ信号を検出したか否かが判断され、ＹＥＳのときはステップＳ１３に進む一方、ＮＯのときはステップ１６Ｓに進む。ステップＳ１３においてＤＩＳ信号を検出したか否かが判断され、ＹＥＳのときはステップＳ１４に進む一方、ＮＯのときはステップＳ７に戻る。そして、ステップＳ１４においてＤＩＳ信号中の相手機のＶ．８能力はあるか否かが判断され、ＹＥＳのときはステップＳ１５に進む一方、ＮＯのときはステップＳ１８に進む。ステップＳ１８では、ＤＣＳ信号を送出し、ステップＳ４に進む。また、ステップＳ１５においては、Ｃｉ信号を送出した後、ステップＳ７に戻る。さらに、ステップＳ１６においてＡＮＳａｍ信号を検出したか否かが判断され、ＹＥＳのときは図６のステップＳ２１に進む一方、ＮＯのときはステップＳ１７に進む。ステップＳ１７においてＤＩＳ信号を検出したか否かが判断され、ＹＥＳのときはステップＳ１４に進む一方、ＮＯのときはステップＳ８に進む。
【００３０】
ステップＳ２１において当該ファクシミリ装置２０においてＶ．８手順は有効か否か（Ｖ．８手順を実行する設定モードに設定されているか否か）が判断され、ＹＥＳであるときは、ステップＳ２２においてＣＭ信号を送出し、ステップＳ２３においてＶ．８手順のファクシミリ送信処理を実行した後、当該ファクシミリ送信処理を終了する。一方、ステップＳ２１でＮＯであるときは、ステップＳ２４においてＤＩＳ信号を検出して受信し、ステップＳ２５においてフラグＤＩＳＦが１であるか否か（ＤＩＳ信号を検出したか否か）が判断され、ＹＥＳのときはステップＳ２６に進み、当該フラグＤＩＳＦを０にリセットした後、ステップＳ２４に戻る。一方、ステップＳ２７でＮＯのときは図５のステップＳ４に進み、通常のＧ３のファクシミリ送信処理を実行した後、当該ファクシミリ送信処理を終了する。ステップＳ２５でＮＯであるとき、ステップＳ２７においてＤＣＳ信号を送出し、図５のステップＳ４に進む。
【００３１】
図７は、図６のファクシミリ送信処理の変形例を示すフローチャートである。図７の変形例においては、ステップＳ２４と、ステップＳ２７との間に、６００ミリ秒だけ待機する処理（ステップＳ２４Ａ）を挿入したことを特徴とする。なお、ステップＳ２５−Ｓ２６の処理は実行しない。すなわち、この変形例においては、発呼時の主制御部１は、ＲＡＭ７内の送信側ＩＰ網チェックテーブル７ａを参照して相手先のファクシミリ番号をチェックしてＩＰ網経由であるとき（図５のステップＳ３でＹＥＳ）、当該相手先に発呼し（ステップＳ６）、ＡＮＳａｍ信号を検出した後（ステップＳ１６でＹＥＳ）、ＤＩＳ信号を検出したとき（図６のステップＳ２４）、例えば６００ミリ秒の所定の時間だけ待機した後、応答信号であるＤＣＳ信号を送出する（ステップＳ２７）ように制御することを特徴としている。
【００３２】
図８及び図９は、図１のファクシミリ装置２０の主制御部１によって実行されるファクシミリ受信処理を示すフローチャートである。
【００３３】
図８のステップＳ３１において、呼び出し信号を検出したか否かが判断され、ＹＥＳとなったら、ステップＳ３２において相手先の電話番号の通知が有ったか否かが判断され、ＹＥＳのときはステップＳ３３に進む一方、ＮＯのときはステップＳ３５に進む。ステップＳ３３において受信側ＩＰ網チェックテーブル７ｂを参照して相手先のファクシミリ番号をチェックし、ステップＳ３４において相手先はＩＰ網経由か否かが判断され、ＹＥＳのときはステップＳ３６に進む一方、ＮＯのときはステップＳ４１に進む。
【００３４】
ステップＳ３５においては、ＡＮＳａｍ信号送信可能モードか否かが判断され、ＹＥＳのときはステップＳ４１に進む一方、ＮＯのときはステップＳ３６に進む。次いで、ステップＳ３６においてＣＥＤ信号を送出し、ステップＳ３７においてＶ．８ビットがオンであるＤＩＳ信号を送出し、ステップＳ３８においてＣｉ信号を検出したか否かが判断され、ＹＥＳのときはステップＳ４１に進む一方、ＮＯのときはステップＳ３９に進む。ステップＳ３９においてＤＣＳ信号を検出したか否かが判断され、ＹＥＳのときは図９のステップＳ５１に進む一方、ＮＯのときはステップＳ４０に進む。さらに、ステップＳ４０においては、Ｔ１タイマーがタイムオーバーしたか否かが判断され、ＮＯのときはステップＳ３７に戻る一方、ＹＥＳのときは当該ファクシミリ受信処理を終了する。
【００３５】
ステップＳ４１においてＡＮＳａｍ信号を送出し、ステップＳ４２においてＣＭ信号を検出したか否かが判断され、ＹＥＳのときはステップＳ４３に進む一方、ＮＯのときはステップＳ４４に進む。ステップＳ４３においては、Ｖ．８手順のファクシミリ受信処理を実行した後、当該ファクシミリ受信処理を終了する。一方、ステップＳ４４においてＴ１タイマーがタイムオーバーしたか否かが判断され、ＹＥＳのときはステップＳ４５に進む一方、ＮＯのときはステップＳ４１に戻る。ステップＳ４５においてＤＩＳ信号を送出し、ステップＳ４６においてＣｉ信号を検出したか否かが判断され、ＹＥＳのときはステップＳ４１に戻る一方、ＮＯのときはステップＳ４７に進む。さらに、ステップＳ４７においてＤＣＳ信号を検出したか否かが判断され、ＹＥＳのときは図９のステップＳ５１に進む一方、ＮＯのときはステップＳ４５に進む。
【００３６】
図９のステップＳ５１においてＴＣＦ信号を受信し、ステップＳ５２においてビット列に基づいてエラーが発生したか否かが判断され、ＹＥＳのときはステップＳ５３に進む一方、ＮＯのときはステップＳ５５に進む。ステップＳ５３において６００ミリ秒だけ待機し、ステップＳ５４においてＦＴＴ信号を送出した後、ステップＳ３９に戻る。一方、ステップＳ５５において６００ミリ秒だけ待機し、ステップＳ５６においてＣＦＲ信号を送出し、ステップＳ５７において画像信号の受信処理を実行する。そして、ステップＳ５８においてＭＣＦ信号を送出し、ステップＳ５９においてＤＣＮ信号を受信し、ステップＳ６０において回線開放した後、当該ファクシミリ受信処理を終了する。
【００３７】
以上説明したように、本実施形態によれば、発呼時の主制御部１は、ＲＡＭ７内の送信側ＩＰ網チェックテーブル７ａを参照して相手先のファクシミリ番号をチェックしてＩＰ網経由であるとき（図５のステップＳ３でＹＥＳ）、当該相手先に発呼し（ステップＳ６）、ＡＮＳａｍ信号を検出した後（ステップＳ１６でＹＥＳ）、ＤＩＳ信号を検出したとき（図６のステップＳ２４）、検出したＤＩＳ信号に応答せず、次のＤＩＳ信号を検出し、応答信号であるＤＣＳ信号を送出する（ステップＳ２４−Ｓ２６）ように制御する。従って、ＩＰ網の交換機などがＡＮＳａｍ信号によりエコーキャンセラーをオフしたとしても、所定の無音時間を生成するので、当該エコーキャンセラーが復帰でき、通常のＧ３のファクシミリ通信が可能となる。
【００３８】
また、主制御部１は、着呼時にＡＮＳａｍ信号を送出することなく（図８のステップＳ３５でＮＯ）、Ｖ．８機能有りのＤＩＳ信号を送出する（ステップＳ３７）ように制御する。従って、最初にＤＩＳ信号を送出するのでＩＰ網の交換機などがＡＮＳａｍ信号でエコーキャンセラをオフすることがなく従来の半二乗でのＧ３のファクシミリ通信が可能となり、ＤＩＳ信号のＶ８ビットを検出した送信側のファクシミリ装置はＶ．３４通信モードでのファクシミリ通信を正常に開始できる。
【００３９】
また、主制御部１は、着呼時にＴＣＦ信号を検出したときに（図９のステップＳ５１）、上記検出したＴＣＦ信号に対する応答信号であるＣＦＲ信号又はＦＴＴ信号の送出を、例えば６００ミリ秒の所定の時間だけ遅延させる（ステップＳ５５）ように制御する。この場合において、主制御部１は、着呼時にＡＮＳａｍ信号を送出した後（ステップＳ４１）、ＴＣＦ信号を検出したとき（ステップＳ５１）、上記検出したＴＣＦ信号に対する応答信号であるＣＦＲ信号又はＦＴＴ信号の送出を、例えば６００ミリ秒の所定の時間だけ遅延させる（ステップＳ５５）ように制御する場合も可能である。従って、ＩＰ網の交換機などがＡＮＳａｍ信号によりエコーキャンセラーをオフしたとしても、所定の無音時間を生成するので、当該エコーキャンセラーが復帰でき、通常のＧ３のファクシミリ通信が可能となる。
【００４０】
これらの着呼時の処理において、例えば発信電話番号通知サービスにより相手先のファクシミリ番号又は電話番号を検出し、上記検出された相手先の番号が受信側ＩＰ網チェックテーブル７ｂに予め登録された宛先であるときに（ステップＳ３４でＹＥＳ）、上記の着呼の処理を実行する。従って、これらの着呼時の処理をＩＰ網を介して着呼する呼に対して実行するので、ファクシミリ受信処理を効率的に実行できる。
【００４１】
＜変形例＞
以上の実施形態においては、ファクシミリ装置２０の例について述べているが、本発明はこれに限らず、公衆電話網又は公衆デジタル回線網などの公衆網に接続された、例えば電話機、データ通信装置などを含む通信端末装置に適用することができる。
【００４２】
以上の実施形態においては、ステップＳ２４Ａ、Ｓ５３、及びＳ５５において６００ミリ秒の時間だけ待機しているが、本発明はこれに限らず、少なくとも４００ミリ秒を待機し、ＩＰ網でのパケット信号の遅延を考慮し、長くとも３秒未満に設定することが好ましい。すなわち、この待機時間間は、好ましくは、４００ミリ秒以上３秒未満に設定され、より好ましくは、５００ミリ秒以上１秒未満、さらに好ましくは、６００ミリ秒以上１秒未満に設定することが好ましい。
【００４３】
以上の実施形態においては、図５のステップＳ１２でＹＥＳのときにステップＳ１３を実行しているが、本発明はこれに限らず、ステップＳ１２を削除し。その代わりに、ステップＳ１３の処理を挿入してもよい。すなわち、ＣＥＤ信号の検出を省き、ＤＩＳ信号の検出を実行するように構成してもよい。
【００４４】
【発明の効果】
以上詳述したように本発明に係る通信端末装置によれば、ＩＴＵ−Ｔ勧告Ｖ．３４通信モードの通信機能を有する通信端末装置において、着呼時にＡＮＳａｍ信号を送出することなく、Ｖ．８機能有りのＤＩＳ信号を送出するように制御する制御手段を備える。従って、最初にＤＩＳ信号を送出するのでＩＰ網の交換機などがＡＮＳａｍ信号でエコーキャンセラをオフすることがなく従来の半二乗でのＧ３通信モードのファクシミリ通信などの画像通信が可能となり、ＤＩＳ信号のＶ８ビットを検出した送信側のファクシミリ装置などの通信端末装置はＶ．３４通信モードでのファクシミリ通信などの画像通信を正常に開始できる。
【００４５】
別の発明に係る通信端末装置は、ＩＴＵ−Ｔ勧告Ｖ．３４通信モードの通信機能を有する通信端末装置において、着呼時にＴＣＦ信号を検出したときに、上記検出したＴＣＦ信号に対する所定の応答信号の送出を所定の時間だけ遅延させるように制御する制御手段を備える。ここで、上記制御手段は、着呼時にＡＮＳａｍ信号を送出した後、ＴＣＦ信号を検出したとき、上記検出したＴＣＦ信号に対する所定の応答信号の送出を所定の時間だけ遅延させるように制御してもよい。従って、ＩＰ網の交換機などがＡＮＳａｍ信号によりエコーキャンセラーをオフしたとしても、所定の無音時間を生成するので、当該エコーキャンセラーが復帰でき、通常のＧ３通信モードのファクシミリ通信などの画像通信が可能となる。
【００４６】
上記通信端末装置において、好ましくは、着呼時に相手先の番号を検出する検出手段をさらに備え、上記検出された相手先の番号が予め登録された宛先であるとき、上記制御手段の処理が実行される。従って、これらの着呼時の処理をＩＰ網を介して着呼する呼に対して実行するので、ファクシミリ受信処理などの画像通信処理を効率的に実行できる。
【図面の簡単な説明】
【図１】  本発明に係る実施形態である、ＩＴＵ−Ｔ勧告Ｖ．３４通信モードの通信機能を有するファクシミリ装置２０の構成を示すブロック図である。
【図２】  図１のＲＡＭ７内の送信側ＩＰ網チェックテーブル７ａの一例を示すフローチャートである。
【図３】  図１のＲＡＭ７内の受信側ＩＰ網チェックテーブル７ｂの一例を示すフローチャートである。
【図４】  従来技術のＶ．８モードの通信手順及びＶ．３４モードの通信手順の通信タイミングフローを示すタイミングチャートである。
【図５】  図１のファクシミリ装置２０の主制御部１によって実行されるファクシミリ送信処理の第１の部分を示すフローチャートである。
【図６】  図１のファクシミリ装置２０の主制御部１によって実行されるファクシミリ送信処理の第２の部分を示すフローチャートである。
【図７】  図６のファクシミリ送信処理の変形例を示すフローチャートである。
【図８】  図１のファクシミリ装置２０の主制御部１によって実行されるファクシミリ受信処理の第１の部分を示すフローチャートである。
【図９】  図１のファクシミリ装置２０の主制御部１によって実行されるファクシミリ受信処理の第２の部分を示すフローチャートである。
【符号の説明】
１…主制御部、
２…画像読取部、
３…画像記録部、
４…表示部、
５…操作部、
６…ＲＯＭ、
７…ＲＡＭ、
７ａ…送信側ＩＰ網チェックテーブル、
７ｂ…受信側ＩＰ網チェックテーブル、
８…画像メモリ、
１０…ファックスモデム、
１１…ＮＣＵ、
１３…バス、
２０…ファクシミリ装置、
Ｌ…公衆電話回線。
【図１】
0003636147.tif 000002
【図２】
0003636147.tif 000003
【図３】
0003636147.tif 000004
【図４】
0003636147.tif 000005
【図５】
0003636147.tif 000006
【図６】
0003636147.tif 000007
【図７】
0003636147.tif 000008
【図８】
0003636147.tif 000009
【図９】
0003636147.tif 000010